(57)【特許請求の範囲】
【請求項１】
分離可能な複数のケース体と、これら複数のケース体を組み合わせることにより形成された基板ボックス内に収容される制御基板と、を有する制御基板装置を備え、
前記複数のケース体として第１ケース体と第２ケース体とを備え、
前記制御基板装置は、
前記第１ケース体に設けられた第１規制部と、
前記第２ケース体に設けられた第２規制部と、
前記第１ケース体に設けられた第１固定部と、
前記第２ケース体に設けられ、前記第１固定部に固定される第２固定部と、
前記第１固定部及び前記第２固定部の固定状態を解除する場合よりも前記第１ケース体及び前記第２ケース体の固定を解除し易い解除部と、
を有し、
前記第１規制部及び第２規制部によって、前記第１ケース体及び前記第２ケース体を分離させる場合の方向が予め定められた規制方向に規制されており、
前記第１固定部及び前記第２固定部を固定状態とすることで前記第１ケース体と前記第２ケース体との分離を阻止するようにこれら両ケース体が固定され、前記解除部が破壊された場合には両ケース体を固定した状態が解除され、
前記解除部が破壊された場合、前記第１固定部及び前記第２固定部の組み合わせが痕跡部として前記第１ケース体に残り、前記第１ケース体及び前記第２ケース体を相互に分離させるべく少なくとも一方のケース体を前記規制方向に移動させた場合に、移動方向が規制されている状況において前記第２ケース体が前記痕跡部に当接して分離が阻止され、
前記第１規制部及び前記第２規制部を破壊して規制が解除された場合は、前記痕跡部によって分離が阻止された状態が解除され、
前記第２固定部は、前記第１ケース体に対して前記第２ケース体を前記規制方向に分離させる場合における移動先端側に設けられていることを特徴とする遊技機。
【発明の詳細な説明】
【技術分野】
【０００１】
本発明は、遊技機に関するものである。
【背景技術】
【０００２】
遊技機の一種として、パチンコ遊技機やスロットマシン等が知られている。これらの遊技機は、ＣＰＵ（中央演算装置）や遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものもある。
【０００３】
この種の遊技機においては、不正な利益を得ることを目的として、制御基板を不正に取り外して当該基板内のＲＯＭ（ＣＰＵやＲＯＭが１チップ化されている場合は当該チップ）を交換し遊技内容を変更したり、リード線等により外部から不正な電気信号を制御基板に入力させたりする等、制御基板に対しての不正行為が数多く報告されており、従来より各種の不正対策が検討されている。
【０００４】
例えば、基板ボックスを構成する複数のケース体を相互に結合するための結合構造（いわゆる、カシメ構造）を持たせたものが知られている（例えば特許文献１参照）。当該結合構造は、その結合の解除に際して破壊を要するように構成されている。これにより、基板ボックスの開放時にはその破壊による開放履歴を残すことができ、不正に基板ボックスが開放された場合にはそれを発見することが可能となる。
【先行技術文献】
【特許文献】
【０００５】
【特許文献１】特開２００３−１８０９１７号公報
【発明の概要】
【発明が解決しようとする課題】
【０００６】
しかしながら、上記結合構造を備えた制御基板装置であっても、未だに不正行為が行われることが考えられる。
【０００７】
本発明は、上記例示した事情等に鑑みてなされたものであり、基板ボックスを不正に開放させる行為を好適に抑制すること又は当該不正行為が行われた場合にそれを好適に発見することが可能な遊技機を提供することを目的とするものである。
【課題を解決するための手段】
【０００８】
上記課題を解決すべく請求項１記載の発明は、分離可能な複数のケース体と、これら複数のケース体を組み合わせることにより形成された基板ボックス内に収容される制御基板と、を有する制御基板装置を備え、
前記複数のケース体として第１ケース体と第２ケース体とを備え、
前記制御基板装置は、
前記第１ケース体に設けられた第１規制部と、
前記第２ケース体に設けられた第２規制部と、
前記第１ケース体に設けられた第１固定部と、
前記第２ケース体に設けられ、前記第１固定部に固定される第２固定部と、
前記第１固定部及び前記第２固定部の固定状態を解除する場合よりも前記第１ケース体及び前記第２ケース体の固定を解除し易い解除部と、
を有し、
前記第１規制部及び第２規制部によって、前記第１ケース体及び前記第２ケース体を分離させる場合の方向が予め定められた規制方向に規制されており、
前記第１固定部及び前記第２固定部を固定状態とすることで前記第１ケース体と前記第２ケース体との分離を阻止するようにこれら両ケース体が固定され、前記解除部が破壊された場合には両ケース体を固定した状態が解除され、
前記解除部が破壊された場合、前記第１固定部及び前記第２固定部の組み合わせが痕跡部として前記第１ケース体に残り、前記第１ケース体及び前記第２ケース体を相互に分離させるべく少なくとも一方のケース体を前記規制方向に移動させた場合に、移動方向が規制されている状況において前記第２ケース体が前記痕跡部に当接して分離が阻止され、
前記第１規制部及び前記第２規制部を破壊して規制が解除された場合は、前記痕跡部によって分離が阻止された状態が解除され、
前記第２固定部は、前記第１ケース体に対して前記第２ケース体を前記規制方向に分離させる場合における移動先端側に設けられていることを特徴とする。
【発明の効果】
【０００９】
本発明によれば、基板ボックスを不正に開放させる行為を好適に抑制すること又は当該不正行為が行われた場合にそれを好適に発見することが可能となる。
【図面の簡単な説明】
【００１０】
【図１】一実施の形態におけるパチンコ機の構成を示す前方から見た斜視図。
【図２】遊技機本体の主要な構成を分解して示す分解斜視図。
【図３】内枠の構成を示す正面図。
【図４】遊技盤の構成を示す正面図。
【図５】内枠の構成を示す背面図。
【図６】裏パックユニットの構成を示す正面図。
【図７】（ａ）主制御装置を前方から見た斜視図、（ｂ）主制御装置を後方から見た斜視図。
【図８】主制御装置の構成を示す分解斜視図。
【図９】（ａ）主制御装置の一部を拡大して示す平面図、（ｂ）主制御装置の一部を拡大して示す正面図。
【図１０】（ａ）〜（ｄ）破壊許容構造を説明するための説明図。
【図１１】基板ボックスを開放する場合の全体の流れを説明するための説明図。
【図１２】パチンコ機の電気的構成を示すブロック図。
【図１３】別の主制御装置の構成を説明するための説明図。
【図１４】別の主制御装置の構成を説明するための説明図。
【発明を実施するための形態】
【００１１】
はじめに、本実施の形態から抽出され得る発明群を必要に応じて効果等を示しつつ説明する。なお以下においては、理解の容易のため、発明の実施の形態において対応する構成を括弧書き等で適宜示すが、この括弧書き等で示した具体的構成に限定されるものではない。
【００１２】
手段１．分離可能な複数のケース体（表ケース体１０１、裏ケース体１０２、中間ケース体１０３）と、これら複数のケース体を組み合わせることにより形成された基板ボックス（基板ボックス９２）内に収容される制御基板（主制御基板９１）と、を有する制御基板装置（主制御装置６３）を備え、
前記複数のケース体として第１ケース体（裏ケース体１０２）と第２ケース体（表ケース体１０１）とを備えており、
前記第１ケース体に設けられた第１固定部（裏側結合部１４８）と、前記第２ケース体に設けられ、前記第１固定部に固定される第２固定部（表側結合部１４３）と、前記第１固定部及び前記第２固定部の固定状態を解除する場合よりも前記第１ケース体及び前記第２ケース体の固定を解除し易い解除部（連結部１４６）と、を有し、前記第１固定部及び前記第２固定部を固定状態とすることで前記第１ケース体と前記第２ケース体との分離を阻止するようにこれら両ケース体を固定するとともに、前記解除部が破壊された場合には両ケース体を固定した状態を解除する固定手段を備え、
前記解除部が破壊された場合、前記第１固定部及び前記第２固定部の組み合わせが痕跡部として前記第１ケース体及び前記第２ケース体のうち少なくとも一方に残るとともに、前記第１ケース体及び前記第２ケース体を相互に分離させる方向に少なくとも一方のケース体を移動させる場合又は移動させた場合に、前記第２ケース体が前記痕跡部に当接し分離が阻止されるものであることを特徴とする遊技機。
【００１３】
手段１の遊技機では、第１固定部及び第２固定部を固定状態とすることで第１ケース体と第２ケース体との分離が阻止される。これにより、基板ボックスを開放し制御基板に不正を施す行為を抑制することが可能となる。また、第２固定部よりも破壊し易い解除部が設けられており、当該解除部を破壊することで第１ケース体と第２ケース体とが固定された状態が解除されるため、固定手段における固定の解除を比較的容易に行うことができる。よって、遊技場における制御基板の検査に際して、固定手段による固定を解除する場合における解除作業の作業性の向上が図られている。
【００１４】
上記構成において、解除部を破壊したとしても、第１固定部及び第２固定部の組み合わせが痕跡部として第１ケース体に残り、第１ケース体及び第２ケース体を分離させようとしても第２ケース体が痕跡部に当接することで両ケース体の分離が阻止される。これにより、解除部を破壊したとしても、両ケース体を完全に分離させることができず、第１ケース体や第２ケース体などのさらなる破壊を要することとなる。よって、不正行為者にとっては第１ケース体及び第２ケース体を相互に分離させる行為が煩雑となり、基板ボックスを不正に開放させる行為を抑制することが可能となる。また、基板ボックスの不正開放が行われたとしても、その際には解除部だけでなくそれ以外にも基板ボックスにおいて破壊された箇所が存在することとなる。よって、基板ボックスの不正開放が行われたとしても、その事実を発見し易くなる。
【００１５】
また、本構成によれば、上記のとおり、第１ケース体と第２ケース体とを固定する第１固定部及び第２固定部により、解除部が破壊された状況における第１ケース体及び第２ケース体の分離が阻止される。つまり、第１ケース体と第２ケース体との固定を行う機能を有する第１固定部及び第２固定部により、解除部が破壊された状況における第１ケース体及び第２ケース体の分離が阻止されるため、第１ケース体及び第２ケース体の固定作業を煩雑化させることなく上記優れた効果を得ることができる。
【００１６】
なお、固定手段による「固定」には、第１ケース体及び第２ケース体を分離しようとしても両ケース体が固定手段を介して結合されていることによりその分離が阻止されることを含み、例えば、結合手段を用いて第１固定部と第２固定部とを結合している状態や、第１固定部と第２固定部とが超音波や熱などを用いて固着され一体化された状態が考えられる。また、「結合手段」としては、ネジやビスなどの固定具や、接着剤などが含まれ、固定具を用いる場合、当該固定具が螺着される場合、嵌合される場合、圧入される場合、遊挿される場合のいずれもが含まれる。これは以下も同様である。
【００１７】
手段２．手段１において、前記第１ケース体及び前記第２ケース体が相互に分離される場合にその方向を予め定められた規制方向に規制する規制手段（裏側規制部１２１、表側規制部１３１）を備えており、
前記固定手段は、前記第１ケース体及び前記第２ケース体を前記規制方向に移動させる場合又は移動させた場合に、前記規制手段により規制されている状況において、前記第１ケース体又は前記第２ケース体の少なくとも一方が前記痕跡部に当接するように形成されていることを特徴とする遊技機。
【００１８】
手段２によれば、解除部を破壊し、少なくとも一方のケース体を規制手段による規制方向に移動させる場合又は移動させた場合に第１ケース体又は第２ケース体の少なくとも一方が前記痕跡部に当接することとなる。これにより、上記手段１の効果が得られる。
【００１９】
なお、「前記第１ケース体及び前記第２ケース体が相互に分離される場合にその方向を予め定められた規制方向に規制する」とは、固定手段によって第１ケース体及び第２ケース体が固定される前の状態、すなわち第１固定部と第２固定部とを固定状態とする前の状態において、第１ケース体及び前記第２ケース体が相互に分離される場合にその方向を予め定められた規制方向に規制することを意味している。これは以下も同様である。
【００２０】
また、「前記解除部が破壊されて前記規制方向に前記第１ケース体及び前記第２ケース体が相互に分離される場合に前記第２ケース体が前記痕跡部に当接するまでに要する距離が、前記規制方向に前記第１ケース体及び前記第２ケース体を相互に分離させた場合に前記規制手段による規制が解除されるまでに要する距離よりも短く設定されている」構成としてもよい。
【００２１】
手段３．手段２において、前記基板ボックスは、前記規制手段を破壊することで、前記痕跡部によって分離が阻止された状態が解除されるように形成されていることを特徴とする遊技機。
【００２２】
手段３によれば、規制手段を破壊することで、痕跡部に邪魔されることなく第１ケース体及び第２ケース体を分離させることができるため、遊技場における制御基板の検査に際して解除部以外に破壊すべき場所が規制手段に特定される。したがって、上記検査の作業性を極力低下させないようにすることができる。また、当該構成においては、不正行為が行われる場合、解除部と規制手段との破壊が行われ易いと考えられる。したがって、基板ボックスの不正開放の有無に際して確認すべき場所が明確なものとなり、当該確認作業の作業性が向上するとともに、不正開放が行われていた場合にはそれを発見し易くなる。
【００２３】
なお、「破壊」には、規制手段を構成する所定の部位を切断することや、規制手段を構成する所定の部位を除去することが含まれ、所定の部位を除去する場合としては、その所定の部位を規制しない位置に除去できればよく、当該所定の部位がケース体などに残る場合及び残らない場合のいずれであってもよい。これは以下も同様である。
【００２４】
手段４．手段２又は３において、前記規制手段は、前記第１ケース体に設けられた第１規制部（裏側規制部１２１）と、前記第２ケース体に設けられた第２規制部（表側規制部１３１）と、を備えており、これら第１規制部及び第２規制部を通じて、前記第１ケース体及び前記第２ケース体を分離させる場合の方向を規制するものであり、
前記第１規制部及び前記第２規制部は、これら両規制部を破壊した場合に前記規制手段による規制が解除されるように形成されていることを特徴とする遊技機。
【００２５】
制御基板装置に対する不正行為としては、２個の制御基板装置を用意し、一方の制御基板装置から第１ケース体を破壊しない状態で取り出し、他方の制御基板装置から第２ケース体を破壊しない状態で取り出す行為が想定される。この場合、それぞれ破壊しない状態で取り出した第１ケース体と第２ケース体とを組み合わせることにより、純正の基板ボックスを得ることが可能となってしまう。そうすると、遊技機の制御基板装置が、上記不正に得た基板ボックスに不正な制御基板を収容させて構成された制御基板装置に交換された場合には、その発見を行うことが困難なものとなってしまう。これに対して、手段４によれば、第１規制部及び第２規制部の両方を破壊した場合に規制手段による規制が解除される構成においては、基板ボックスの開放に際して第１規制部及び第２規制部の両方が破壊されることで、上記のように第１ケース体と第２ケース体とを不正に得る行為を抑制することが可能となる。
【００２６】
手段５．手段２又は３において、前記規制手段は、前記第１ケース体及び前記第２ケース体のうちの一方に設けられた係止部（裏側規制部１２１）と、他方に設けられ前記係止部を受ける係止受け部（係止受け部１３７）と、前記第１ケース体及び前記第２ケース体のうち少なくとも一方に設けられ前記係止部と前記係止受け部との係止箇所を囲む囲み部（縁壁部１３３、内側壁部１３４、連結壁部１３５）と、を備えており、前記係止受け部にて前記係止部が受けられている状態では、前記第１ケース体及び前記第２ケース体が相互に分離される場合の方向を前記規制方向に規制するものであり、さらに、前記囲み部が破壊されることにより、その破壊された位置にて前記係止部又は前記係止受け部の少なくとも一方が露出するとともに、その露出した部位が破壊されることにより、前記規制方向への規制が解除されるものであることを特徴とする遊技機。
【００２７】
手段５によれば、係止部と係止受け部とにより第１ケース体及び第２ケース体が相互に分離される場合の方向を規制方向に規制する構成において、これら係止部及び係止受け部の係止箇所を囲む囲み部が設けられていることにより、規制手段の規制の解除が行いづらくなり、不正行為者にとっては規制手段の規制解除操作が煩雑なものとなる。また、当該規制解除操作に際して、囲み部を破壊するとともに、その破壊した位置にて露出した係止部又は係止受け部の少なくとも一方を破壊する場合、当該操作が煩雑なものとなるため、これによっても上記不正行為を抑制することが可能となる。さらには、このように規制解除操作が行われた場合、破壊箇所が比較的広範囲に及ぶため、基板ボックスの不正開放が行われた場合における発見の容易化が図られる。
【００２８】
手段６．手段５において、前記規制手段は、前記基板ボックスの周縁部に設けられているとともに、前記囲み部の一部は前記基板ボックスの周面を構成しており、さらに、前記囲み部における前記基板ボックスの周面を構成している周面構成部（縁壁部１３３）が破壊されることにより、その破壊された位置にて前記係止部又は前記係止受け部の少なくとも一方が露出するとともに、その露出した部位が破壊されることにより、前記規制方向への規制が解除されるものであることを特徴とする遊技機。
【００２９】
手段６によれば、囲み部を破壊するとともに、その破壊した位置にて露出した係止部又は係止受け部の少なくとも一方を破壊することで規制手段による規制を解除する場合、当該操作を基板ボックスの周縁部において行うことができる。つまり、基板ボックスの中央側において上記操作を行う必要がある構成に比べ、規制手段の規制解除操作を容易に行うことができる。よって、遊技場において制御基板の検査を行う場合における基板ボックスの開放作業の作業性を向上させることができる。
【００３０】
手段７．手段５又は６において、前記囲み部は、当該囲み部における他の部位よりも脆弱に形成された破壊許容部（張出領域１５５）を備えており、
前記規制手段は、前記破壊許容部が破壊されることにより、その破壊された位置にて前記係止部又は前記係止受け部の少なくとも一方が露出するとともに、その露出した部位が破壊されることにより、前記規制方向への規制が解除されるものであることを特徴とする遊技機。
【００３１】
手段７によれば、囲み部を破壊するとともに、その破壊した位置にて露出した係止部又は係止受け部の少なくとも一方を破壊することで規制手段による規制を解除する場合、破壊許容部を破壊することで、囲み部の破壊を容易に行うことができる。よって、遊技場において制御基板の検査を行う場合における基板ボックスの開放作業の作業性を向上させることができる。
【００３２】
手段８．手段７において、前記破壊許容部を破壊することにより前記囲み部の一部を切除した場合、前記係止部及び前記係止受け部のうち、前記破壊許容部が形成されたケース体とは異なるケース体に形成された側のみが露出するように、前記囲み部が形成されていることを特徴とする遊技機。
【００３３】
上記手段７の構成を備え、規制手段による規制の解除を行う場合の作業性が向上された構成において、手段８によれば、破壊許容部を破壊して規制手段による規制を解除する場合には、第１ケース体及び第２ケース体の両方を破壊する必要が生じる。
【００３４】
制御基板装置に対する不正行為としては、２個の制御基板装置を用意し、一方の制御基板装置から第１ケース体を破壊しない状態で取り出し、他方の制御基板装置から第２ケース体を破壊しない状態で取り出す行為が想定される。この場合、それぞれ破壊しない状態で取り出した第１ケース体と第２ケース体とを組み合わせることにより、純正の基板ボックスを得ることが可能となってしまう。そうすると、遊技機の制御基板装置が、上記不正に得た基板ボックスに不正な制御基板を収容させて構成された制御基板装置に交換された場合には、その発見を行うことが困難なものとなってしまう。このような不正行為を想定した場合、上記手段７の構成を備え、規制手段による規制の解除が容易に行える構成においては、上記不正行為が行い易くなってしまうことが懸念される。これに対して、手段８によれば、破壊許容部を破壊して規制手段による規制を解除する場合には、第１ケース体及び第２ケース体の両方を破壊する必要が生じるため、上記のように破壊許容部を設けた構成において、上記不正行為を行いづらくすることが可能となる。
【００３５】
手段９．手段７又は８において、前記係止部は係止溝（係止用溝１２５）を有しているとともに、前記係止受け部は前記係止溝に入り込む入り込み部であり、前記入り込み部の移動方向が前記係止溝に沿った方向に規制されることで、前記第１ケース体及び前記第２ケース体が分離される場合の方向が前記規制方向に規制されるとともに、前記入り込み部が前記係止溝に沿った方向に移動し当該係止溝から抜けることで、前記規制方向への規制が解除される構成であり、
前記固定手段は、前記解除部が破壊された場合、少なくとも一方のケース体を前記規制手段により規制されて前記規制方向に所定の距離だけ移動させた場合に、前記第１ケース体又は前記第２ケース体の少なくとも一方が前記痕跡部に当接するように形成されており、
前記破壊許容部を破壊することにより前記囲み部の一部を切除した場合、前記係止溝が露出するように前記囲み部が形成されているとともに、前記痕跡部にケース体が当接した場合、当該ケース体が移動していない状態に比べ、前記係止溝の露出領域が広くなるよう構成されていることを特徴とする遊技機。
【００３６】
手段９によれば、破壊許容部を破壊することにより、係止部の係止溝が露出することとなるため、ニッパ等の工具を用いて係止部を破壊する場合、当該工具の刃を係止溝にかけるようにすることで、係止部の破壊を比較的容易に行うことが可能となる。また、第１ケース体及び第２ケース体を分離させる方向に移動させ、ケース体が痕跡部に当接した場合には、当該ケース体が移動していない状態に比べ、係止溝の露出領域が広くなる。よって、工具の刃を係止溝にかけやすくなり、係止部の破壊作業の作業性が向上する。以上より、遊技場において制御基板の検査を行う場合における基板ボックスの開放作業の作業性を向上させることができる。
【００３７】
手段１０．手段５乃至９のいずれか１において、前記基板ボックスは、前記係止部及び前記係止受け部の組み合わせを複数組備えていることを特徴とする遊技機。
【００３８】
手段１０によれば、係止部及び係止受け部の組み合わせが複数組設けられていることにより、係止部及び係止受け部のうち少なくとも一方を破壊して規制手段による規制を解除する場合、係止部及び係止受け部の組み合わせが１組である構成に比べ、破壊すべき箇所が多くなる。よって、当該不正行為を行うことを煩雑なものとすることが可能となる。また、上記不正行為が行われた際の基板ボックスの破壊箇所を多くすることが可能となり、上記不正開放が行われた場合における発見の容易化が図られる。
【００３９】
手段１１．手段２乃至１０のいずれか１において、前記制御基板は前記第１ケース体及び前記第２ケース体のうちの一方に固定されており、その固定された状態において前記制御基板の一方の板面は前記第１ケース体側を向いているとともに、他方の板面は前記第２ケース体側を向いており、
前記規制手段による前記規制方向は、前記第１ケース体及び前記第２ケース体のうち前記制御基板が固定されていない側のケース体と、前記制御基板の前記各板面のうち前記固定されていない側のケース体側を向いている板面との間の距離が長くならない方向に設定されていることを特徴とする遊技機。
【００４０】
手段１１によれば、解除部を破壊して、規制手段による規制方向に第１ケース体及び第２ケース体を分離させたとしても、規制手段により規制されている範囲内においては、第１ケース体及び第２ケース体のうち制御基板が固定されていない側のケース体と、制御基板の各板面のうち固定されていない側のケース体側を向いている板面との間の距離が長くならない。これにより、解除部を破壊して第１ケース体及び第２ケース体を僅かに分離させ、その分離させた状態において制御基板に対して不正を行おうとする行為に対して、当該行為を行いづらくすることが可能となる。
【００４１】
手段１２．手段１１において、前記解除部が破壊されて前記規制方向に前記第１ケース体及び前記第２ケース体が相互に分離される場合に、前記第１ケース体又は前記第２ケース体の少なくとも一方が前記痕跡部に当接するまでに要する距離が、前記規制方向に前記第１ケース体及び前記第２ケース体を相互に分離させた場合に、前記制御基板の前記各板面のうち前記固定されていない側のケース体側を向いている板面において前記固定されていない側のケース体と対向しなくなる領域が生じるまでに要する距離よりも短く設定されていることを特徴とする遊技機。
【００４２】
手段１２によれば、解除部を破壊して第１ケース体及び第２ケース体を僅かに分離させ、その分離させた状態において制御基板に対して不正を行おうとしても、制御基板の各板面のうち固定されていない側のケース体側を向いている板面の全部が前記固定されていない側のケース体と対向している状態が維持される。したがって、当該不正行為を行いづらくすることが可能となる。
【００４３】
手段１３．手段１乃至１２のいずれか１において、前記基板ボックスの周縁部の予め定められた箇所を破壊することにより、前記ケース体が前記痕跡部に当接した状態を解除可能となるように前記基板ボックスが形成されていることを特徴とする遊技機。
【００４４】
手段１３によれば、遊技場において制御基板の検査を行う場合、固定手段の解除部を破壊するとともに、基板ボックスの周縁部の予め定められた箇所を破壊することで、第１ケース体及び第２ケース体を分離させることができ、制御基板の検査を行うことができる。よって、当該検査の作業性を向上させることができる。
【００４５】
手段１４．分離可能な複数のケース体（表ケース体１０１、裏ケース体１０２、中間ケース体１０３）と、これら複数のケース体を組み合わせることにより形成された基板ボックス（基板ボックス９２）内に収容される制御基板（主制御基板９１）と、を有する制御基板装置（主制御装置６３）を備え、
前記各ケース体の分離を阻止するように固定するとともに、解除部（連結部１４６）が破壊された場合にはその固定した状態を解除する固定手段（表側結合部１４３、裏側結合部１４８）を備え、
前記解除部が破壊された場合において前記各ケース体を分離させる方向に移動させる場合又は移動させた場合に所定のケース体と前記固定手段の一部とが当接し分離が阻止されるものであることを特徴とする遊技機。
【００４６】
手段１４によれば、固定手段を固定状態とすることで各ケース体の分離が阻止される。これにより、基板ボックスを開放し制御基板に不正を施す行為を抑制することが可能となる。また、解除部が設けられており、当該解除部を破壊することで各ケース体が固定された状態が解除される。
【００４７】
上記構成において、解除部を破壊したとしても、各ケース体を分離させる方向に移動させる場合又は移動させた場合には、所定のケース体と固定手段の一部とが当接し、分離させる方向への移動が規制される。これにより、解除部を破壊したとしても、両ケース体を分離させることができず、ケース体のさらなる破壊を要することとなる。よって、不正行為者にとっては基板ボックスを開放させる行為が煩雑となり、基板ボックスを不正に開放させる行為を抑制することが可能となる。また、基板ボックスの不正開放が行われたとしても、その際には解除部だけでなくそれ以外にも基板ボックスにおいて破壊された箇所が存在することとなる。よって、基板ボックスの不正開放が行われたとしても、その事実を発見し易くなる。
【００４８】
以下に、以上の各手段を適用し得る各種遊技機の基本構成を示す。
【００４９】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【００５０】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【００５１】
以下、遊技機の一種であるパチンコ遊技機（以下、「パチンコ機」という）の一実施の形態を、図面に基づいて詳細に説明する。図１はパチンコ機１０を前方から見た斜視図、図２はパチンコ機１０における遊技機本体１２の分解斜視図である。なお、図２では便宜上パチンコ機１０の遊技領域内の構成を省略している。
【００５２】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【００５３】
外枠１１は、木製の板材を四辺に連結し構成されるものであって矩形枠状をなしている。パチンコ機１０は、外枠１１を島設備に取り付け固定することにより、遊技場に設置される。なお、外枠１１を合成樹脂やアルミニウム等の金属によって形成することも可能である。
【００５４】
外枠１１の一側部に遊技機本体１２が回動可能に支持されている。具体的には、図１に示すように、外枠１１における上枠部と左枠部との連結部分に上側支持用金具２１が固定されており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００５５】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００５６】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００５７】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００５８】
次に、遊技機本体１２の前面側の構成について説明する。図３は内枠１３の正面図である。
【００５９】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００６０】
ここで、遊技盤３３の構成を図４に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００６１】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は、図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は、第２特定ランプ部４４に対応しており、遊技球がスルーゲート３７を通過した回数は最大４回まで保留され保留ランプ部４６の点灯によってその保留個数が表示されるようになっている。
【００６２】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００６３】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００６４】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００６５】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【００６６】
遊技球発射機構５０は、図３に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【００６７】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【００６８】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００６９】
下側膨出部５８の右方には、手前側へ突出するようにしてハンドル装置５９が設けられている。ハンドル装置５９が操作されることにより、遊技球発射機構から遊技球が発射される。
【００７０】
次に、遊技機本体１２の背面側の構成について説明する。図５は内枠１３の背面図、図６は裏パックユニット１５の正面図である。
【００７１】
図５に示すように、内枠１３（遊技盤３３）の背面には、主制御装置ユニット６１及び音声ランプ制御装置ユニット６５が搭載されている。
【００７２】
主制御装置ユニット６１は、合成樹脂製の取付台６２を有し、取付台６２に主制御装置６３が搭載されている。主制御装置６３は、遊技の主たる制御を司る機能（主制御回路）と、電源を監視する機能（停電監視回路）とを有する主制御基板を具備している。なお、主制御装置６３の具体的な構成については、後に詳細に説明する。
【００７３】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００７４】
裏パックユニット１５は、図６に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【００７５】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【００７６】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【００７７】
ベース部７４の下端部には、制御装置集合ユニット７３が取り付けられている。制御装置集合ユニット７３は、横長形状をなす取付台８１を有し、取付台８１に払出制御装置８２と電源及び発射制御装置８３とが搭載されている。これら払出制御装置８２と電源及び発射制御装置８３とは、払出制御装置８２がパチンコ機１０後方となるように前後に重ねて配置されている。
【００７８】
払出制御装置８２は、基板ボックス８４内に払出装置７８を制御する払出制御基板が収容されて構成されている。電源及び発射制御装置８３は、基板ボックス８５内に電源及び発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【００７９】
次に、主制御装置６３の構成を図７及び図８に基づいて詳細に説明する。図７（ａ）は主制御装置６３を前方から見た斜視図、図７（ｂ）は主制御装置６３を後方から見た斜視図、図８は主制御装置６３の分解斜視図である。
【００８０】
主制御装置６３は、図８に示すように、主制御基板９１と基板ボックス９２とを備えており、当該基板ボックス９２内に主制御基板９１が収容されてなる。
【００８１】
主制御基板９１は、主たる制御を司るＣＰＵ、遊技プログラムを記憶したＲＯＭ、遊技の進行に応じた必要なデータを記憶するＲＡＭ等を備えている。本実施の形態では、ＣＰＵ、ＲＯＭ及びＲＡＭがＣＰＵチップ９３に１チップ化されている。また、詳細な説明は省略するが、入出力ドライバ用ＩＣチップ９４及びラッチ用ＩＣチップ９５が搭載されている。また、図示は省略するが、主制御基板９１には、コンデンサや抵抗などの各種素子が搭載されている。さらに、主制御基板９１には、複数のコネクタ９６が搭載されている。
【００８２】
主制御基板９１においてＣＰＵチップ９３などの各種素子やコネクタ９６は全て同一の板面上に搭載されており、その逆側の板面にて半田付けされている。つまり、主制御基板９１は、一方の板面が素子搭載面９７となっており、他方の板面が半田面となっている。なお、半田面とは、素子搭載面９７に搭載される各種素子の半田付け部分が設けられる面であるが、当該半田面に対して回路パターンが形成されていてもよい。
【００８３】
基板ボックス９２は、複数のケース体として、表ケース体（ボックスカバー）１０１と裏ケース体（ボックスベース）１０２と中間ケース体（ミドルプレート）１０３とを備えている。これら表ケース体１０１、裏ケース体１０２及び中間ケース体１０３は、基板ボックス９２内に収容された主制御基板９１の素子搭載面９７及び半田面を基板ボックス９２外から視認可能なように透明性を有する材料により形成されている。具体的には、無色透明のポリカーボネート樹脂により形成されているが、これに限定されることはなく、アクリル樹脂等であってもよい。
【００８４】
表ケース体１０１、裏ケース体１０２及び中間ケース体１０３が組み合わされることにより、図７（ａ），（ｂ）に示すように、基板ボックス９２は四角箱状（略直方体形状）に形成されており、所定の内部空間を有している。詳細には、表ケース体１０１は、図８に示すように、当該表ケース体１０１の周縁を規定する表側周縁部１０４と、当該表側周縁部１０４から一方に膨出するようにして形成された膨出部１０５とが一体形成されてなる。これら表側周縁部１０４と膨出部１０５とにより、表ケース体１０１は膨出部１０５の膨出側とは反対側に開放された略直方体形状をなしている。また、膨出部１０５は正面視で長方形状をなしており、その一方の長辺側には当該長辺に沿って延びる長孔部１０６が形成されている。当該長孔部１０６は、表側周縁部１０４と膨出部１０５の区画壁１０７とにより周囲が囲まれている。
【００８５】
長孔部１０６を塞ぐようにして、表ケース体１０１にはその背面側から中間ケース体１０３がネジ固定されており（着脱可能な状態で固定されており）、さらにその背面側から表ケース体１０１に主制御基板９１がネジ固定されている（着脱可能な状態で固定されている）。なお、表ケース体１０１への主制御基板９１のネジ固定は、主制御基板９１の半田面側から行われており、主制御基板９１の素子搭載面９７に搭載された各種素子は、主制御基板９１と表ケース体１０１との間の領域内に収容されている。
【００８６】
中間ケース体１０３には、主制御基板９１に形成された所定のコネクタ９６群に１対１で対応させて貫通孔部１０８が複数形成されており、主制御基板９１に形成された所定のコネクタ９６が対応する貫通孔部１０８内に入り込んでいる。そして、当該コネクタ９６は表ケース体１０１の表面側にて露出している。主制御基板９１において所定のコネクタ９６の位置は機種毎に変更されることがあり、このような事情において上記のように中間ケース体１０３を設けることで、機種毎に中間ケース体１０３を変更するだけでよく、表ケース体１０１及び裏ケース体１０２を機種毎に共通化させることができる。
【００８７】
ちなみに、中間ケース体１０３において貫通孔部１０８が形成された板状部１０９は主制御基板９１の素子搭載面９７に重ね合わせられており、中間ケース体１０３において板状部１０９から起立させて設けられた起立部１１０は、膨出部１０５の区画壁１０７に対して当該膨出部１０５の内側において重なり合っている。したがって、上記のように中間ケース体１０３が設けられた構成において、図７（ａ）に示すように、所定のコネクタ９６を除いて、主制御基板９１の素子搭載面９７は表ケース体１０１及び中間ケース体１０３により覆われている。
【００８８】
上記のように、主制御基板９１及び中間ケース体１０３が一体化された表ケース体１０１に対して、裏ケース体１０２が固定されている。裏ケース体１０２は、図８に示すように、正面視で四角形状、具体的には長方形状をなす略板状に形成されており、平面状に形成された平面部１１１と、当該平面部１１１の周縁を囲むようにして形成された裏側周縁部１１２とが一体形成されてなる。
【００８９】
表ケース体１０１に対してその背面側から裏ケース体１０２を固定することにより、表ケース体１０１の表側周縁部１０４と裏ケース体１０２の裏側周縁部１１２とが重なり、膨出部１０５の裏面側への開放部分が裏ケース体１０２の平面部１１１により閉塞される。この場合、主制御基板９１の半田面は、裏ケース体１０２により覆われている。つまり、主制御基板９１の素子搭載面９７はその全体が表ケース体１０１及び中間ケース体１０３と対向しており、主制御基板９１の半田面はその全体が裏ケース体１０２と対向している。上記構成の主制御装置６３は、図５に示すように、表ケース体１０１の表面がパチンコ機１０後方を向き、且つ中間ケース体１０３が設けられた側の縁部が上側に位置するようにして搭載されている。
【００９０】
次に、表ケース体１０１と裏ケース体１０２との固定に関する構成について詳細に説明する。両ケース体１０１，１０２の固定に関する構成としては、両ケース体１０１，１０２の相互の位置ずれを特定の規制方向のみに規制する規制手段と、当該規制方向への位置ずれを防止するように両ケース体１０１，１０２を相互に固定する固定手段と、を備えている。
【００９１】
先ず、規制手段について詳細に説明する。なお、以下の規制手段の説明では、図８だけでなく図９も適宜参照する。図９（ａ）は主制御装置６３の一部を拡大して示す平面図、図９（ｂ）は主制御装置６３の一部を拡大して示す正面図である。
【００９２】
図８に示すように、規制手段として、裏ケース体１０２には、係止部としての裏側規制部１２１が一体形成されている。裏側規制部１２１は複数設けられており、それら裏側規制部１２１は裏ケース体１０２の裏側周縁部１１２における上縁及び下縁のそれぞれにおいて各縁に沿って等間隔で形成されている。この場合、裏側規制部１２１は、上下にそれぞれ６個ずつ形成されているが、複数であればその数は任意である。各裏側規制部１２１は、全て同一形状となるように形成されているとともに、全て同一のサイズに形成されている。
【００９３】
裏側規制部１２１の形状について詳細には、図９（ａ）に示すように、裏側規制部１２１は裏ケース体１０２の裏側周縁部１１２において当該裏側周縁部１１２のベース部１２２を基端として形成されており、自由端側が裏ケース体１０２の一方の側縁、具体的には右縁に向けて延びるように途中位置で折り曲げて形成されている。つまり、裏側規制部１２１はベース部１２２から裏ケース体１０２の厚み方向（基板ボックス９２の厚み方向）に起立した起立部１２３と、起立部１２３から裏ケース体１０２の側縁に向けて延びる延出部１２４とが一体形成されてなる。これら起立部１２３及び延出部１２４はその厚み寸法（縦方向の寸法）が比較的小さく形成されている。
【００９４】
延出部１２４は起立部１２３の高さ寸法分、ベース部１２２から離間されており、延出部１２４とベース部１２２との間には係止用溝１２５が形成されている。当該係止用溝１２５は、延出部１２４に沿って形成されており、延出部１２４の自由端側において開放されている。
【００９５】
上記裏側規制部１２１に対応させて表ケース体１０１には、図８に示すように、表側規制部１３１が一体形成されている。当該表側規制部１３１は、表ケース体１０１の表側周縁部１０４における上縁及び下縁のそれぞれにおいて、裏側規制部１２１と１体１で対応させて形成されている。つまり、表側規制部１３１は、上下にそれぞれ６個ずつ形成されている。但し、裏側規制部１２１と１対１で対応しているのであれば、その具体的な数は任意である。
【００９６】
表側規制部１３１の形状について詳細には、図９（ｂ）に示すように、表ケース体１０１の表側周縁部１０４における上縁及び下縁のそれぞれには、それら各縁に沿って延びるスリット１３２が形成されている。当該スリット１３２は、表ケース体１０１において周面を構成する縁壁部１３３と、表ケース体１０１において縁壁部１３３に対向するようにして形成された内側壁部１３４と、これら縁壁部１３３及び内側壁部１３４を連結するようにして形成された連結壁部１３５とにより周囲が規定されており、表ケース体１０１の厚み方向（基板ボックス９２の厚み方向）に貫通している。
【００９７】
ちなみに、連結壁部１３５は、隣り合うスリット１３２を区画する機能も有している。また、内側壁部１３４はスリット１３２側からの基板ボックス９２内への侵入経路を遮断するように形成されている。さらには、内側壁部１３４は、表ケース体１０１と裏ケース体１０２とを重ね合わせた際に、裏ケース体１０２において裏側規制部１２１よりも内側に形成された一連の規制壁１３６に対して当該規制壁１３６よりも外方において重なり合う。これにより、上記侵入経路の遮断効果が高められている。
【００９８】
スリット１３２の幅寸法、すなわち縁壁部１３３と内側壁部１３４との間の距離は、裏側規制部１２１の厚み寸法よりも若干大きく設定されている。また、スリット１３２の長さ寸法、すなわち対向する連結壁部１３５間の距離は、延出部１２４の長さ寸法よりも大きく設定されている。
【００９９】
各スリット１３２には、図９（ａ）に示すように、一方の連結壁部１３５側において、スリット１３２を閉塞する係止受け部１３７が形成されている。この係止受け部１３７が形成された側の連結壁部１３５は、一のスリット１３２における両連結壁部１３５のうち、裏側規制部１２１の延出部１２４の自由端側に対応した側となっている。
【０１００】
係止受け部１３７は、一のスリット１３２の全体を閉塞しているのではなく、一部のみを閉塞している。そして、一のスリット１３２において係止受け部１３７が形成されていない側の連結壁部１３５から係止受け部１３７までの距離Ｌ１は、裏側規制部１２１の延出部１２４が延びる方向の長さ寸法Ｌ２よりも大きくなっている。これにより、上記のように係止受け部１３７が形成された構成において、表ケース体１０１の裏側から裏側規制部１２１をスリット１３２内に挿入可能となっている。
【０１０１】
係止受け部１３７は、上記裏側規制部１２１の係止用溝１２５内に入り込み可能な厚み寸法に設定されている。また、係止受け部１３７は、スリット１３２内において表ケース体１０１の厚み方向の途中位置に設けられている。詳細には、係止受け部１３７はスリット１３２内において表ケース体１０１の裏面側の開口部に偏倚した位置に形成されている。この場合、スリット１３２において表ケース体１０１の表面側の開口部から係止受け部１３７までの距離は、裏側規制部１２１の係止用溝１２５に係止受け部１３７が入り込んだ状態において、当該開口部から裏側規制部１２１が突出しない程度となっている。
【０１０２】
表ケース体１０１と裏ケース体１０２とを相互に固定する場合、先ず表ケース体１０１の裏側から裏側規制部１２１をスリット１３２内に挿入する。スリット１３２内に裏側規制部１２１を挿入することで、裏側規制部１２１が表ケース体１０１における縁壁部１３３と内側壁部１３４との間に配置され、裏側規制部１２１がこれら壁部１３３，１３４に当接する方向への表ケース体１０１及び裏ケース体１０２の移動、すなわち上下方向への移動が規制される。
【０１０３】
上記のようにスリット１３２内に裏側規制部１２１を挿入した状態では、裏側規制部１２１の延出部１２４の自由端が、挿入されたスリット１３２内の係止受け部１３７側を向いている。また、この状態では、表ケース体１０１と裏ケース体１０２とは完全に重なりあっておらず、左右方向にずれた状態となっている。
【０１０４】
その後、表ケース体１０１又は裏ケース体１０２の少なくとも一方を、両ケース体１０１，１０２が完全に重なり合う方向にスライド移動させることにより、裏側規制部１２１の係止用溝１２５内に表側規制部１３１の係止受け部１３７が入り込む。この状態では、係止用溝１２５に対する係止受け部１３７の抜け方向にのみ移動可能なように表ケース体１０１及び裏ケース体１０２の移動方向が規制される。そして、当該状態において固定手段による固定を行うことで、規制手段により規制された移動方向への移動も行うことが不可となり、表ケース体１０１及び裏ケース体１０２が相互に固定される。
【０１０５】
次に、固定手段について説明する。
【０１０６】
図８に示すように、表ケース体１０１の表側周縁部１０４において一方の側縁には、表側固定領域１４１が一体形成されている。表側固定領域１４１が設けられた位置は、上記規制手段により規制された方向に表ケース体１０１を移動させる場合の先端側となっている。表側固定領域１４１は、表側周縁部１０４において基板ボックス９２の内部空間を規定する空間規定壁１４５から側方に延出させて形成されており、略板状をなしている。
【０１０７】
表側固定領域１４１に対応させて、裏ケース体１０２の裏側周縁部１１２には裏側固定領域１４２が一体形成されている。裏側固定領域１４２は、平面部１１１から側方に延出されており、表側固定領域１４１と同様に、略板状をなしている。表ケース体１０１及び裏ケース体１０２を、裏側規制部１２１の係止用溝１２５内に表側規制部１３１の係止受け部１３７が入り込むように重ね合わせた状態においては、表側固定領域１４１と裏側固定領域１４２とが重なり合っている。
【０１０８】
表側固定領域１４１には、その上端及び下端のそれぞれに１個ずつ表側結合部１４３が一体形成されている。各表側結合部１４３は角柱状をなしており、表側固定領域１４１における板状ベース１４４から突出している。この場合、各表側結合部１４３は、表ケース体１０１における上記空間規定壁１４５と対向しており、両者の間には隙間が形成されている、
各表側結合部１４３はそれぞれ、複数の連結部１４６を介して板状ベース１４４と連結されている。連結部１４６は、表側結合部１４３に比べ、ニッパやカッターなどの工具による切断を容易に行うことができるように幅寸法が小さく設定されている。各表側結合部１４３には、当該表側結合部１４３を前後方向に貫通する貫通孔１４７が形成されている。
【０１０９】
表側結合部１４３に１対１で対応させて、裏側固定領域１４２にはその上端及び下端のそれぞれに１個ずつ裏側結合部１４８が一体形成されている。各裏側結合部１４８は、裏側固定領域１４２における板状ベース１４９に対して後方に突出させて形成されており、ボス状をなしている。各裏側結合部１４８には、ボスの軸線方向に延びるネジ孔１５０が形成されている。当該ネジ孔１５０は、表側結合部１４３に形成された貫通孔１４７と同一軸線上となるようにして連通している。そして、これら連通した貫通孔１４７及びネジ孔１５０に対して、貫通孔１４７側から破断ネジ１５１が螺着されている。
【０１１０】
ここで、破断ネジ１５１とは、ドライバなどの工具の先端を差込可能な頭部１５１ａと、ネジ溝が形成された側との連結部分の強度が低く設定されたものであり、それ以上締めることができない位置において頭部１５１ａに対して上記工具によりさらに所定の力を加えることにより、上記連結部分が切断され、頭部１５１ａが分離されるものである。つまり、破断ネジ１５１は、螺着後において、上記工具を用いて緩める方向へ回転させることを不可とするものである。なお、螺着後において表側結合部１４３と裏側結合部１４８との結合を緩めることができないようにすることができるのであれば、両結合部１４３，１４８を結合する固定具（結合手段）は破断ネジ１５１に限定されることはなく周知のワンウェイネジであってもよい。
【０１１１】
表側結合部１４３及び裏側結合部１４８の組合せは上記のとおり複数組設けられているが、それら全ての組合せに対して破断ネジ１５１による結合が行われている。つまり、上側の表側結合部１４３及び裏側結合部１４８の組合せに対して破断ネジ１５１による結合が行われているとともに、下側の表側結合部１４３及び裏側結合部１４８の組合せに対して破断ネジ１５１による結合が行われている。そして、それら破断ネジ１５１は全て頭部１５１ａが取り外されている。
【０１１２】
上記のように表側結合部１４３及び裏側結合部１４８が結合されていることにより、表ケース体１０１及び裏ケース体１０２とが分離不可な状態で相互に固定されている。この場合に、上記のとおり係止用溝１２５内に係止受け部１３７が入り込んでおり、さらにはこれら係止用溝１２５及び係止受け部１３７の組み合わせは基板ボックス９２の上縁に沿って複数設けられているとともに下縁に沿って複数設けられているため、表ケース体１０１と裏ケース体１０２とを基板ボックス９２の厚み方向（すなわち、表ケース体１０１と裏ケース体１０２とを重ね合わせ方向）に分離させようとしても、それが強固に規制される。よって、表ケース体１０１と裏ケース体１０２との境界部分を強引に開き、そこから主制御基板９１側に不正用治具を挿入しようとしても、それが困難なものとなる。特に、係止用溝１２５と係止受け部１３７との係止範囲が後述するように広く確保されているため、上記不正行為の抑制効果が高められている。
【０１１３】
なお、裏ケース体１０２の裏側周縁部１１２における左縁などには、表ケース体１０１の表側周縁部１０４に対して主制御装置６３の表側から重なる返し部が一体形成されている。当該返し部によっても、表ケース体１０１と裏ケース体１０２とを基板ボックス９２の厚み方向に分離させようとしてもそれが強固に規制される。
【０１１４】
上記固定された状態を解除するためには、表側固定領域１４１や裏側固定領域１４２を破壊する必要があり、破壊した場合にはその痕跡が残ることとなる。つまり、表側結合部１４３、裏側結合部１４８及び破断ネジ１５１により固定手段としてのカシメ構造が構成されており、当該カシメ構造による結合を行った後は表ケース体１０１と裏ケース体１０２との分離に際してその痕跡、すなわち基板ボックス９２の開放履歴が残ることとなる。
【０１１５】
一方、上記のとおり、表側結合部１４３は連結部１４６を介して板状ベース１４４と連結されており、当該連結部１４６は表側結合部１４３に比べ、ニッパやカッターなどの工具による切断を容易に行うことができるように幅寸法が小さく設定されている。よって、遊技場などにおいて主制御基板９１の検査を行うために基板ボックス９２を開放する場合には上記連結部１４６を切断することで、表側結合部１４３は表ケース体１０１から分離され、上記カシメ構造による分離阻止状態を解除することが可能となる。
【０１１６】
但し、上記のように脆弱な連結部１４６が設けられた構成においては、当該連結部１４６の切断を極力目立たないようにして基板ボックス９２の不正な開放が行われることが想定される。そうすると、カシメ構造を設けたにも関わらず、連結部１４６が切断されていることを発見することができず、上記不正行為を見逃してしまうことが想定される。これに対して、本パチンコ機１０では、表ケース体１０１と裏ケース体１０２とを完全に分離し主制御基板９１を露出させるためには、連結部１４６を切断した後に表ケース体１０１又は裏ケース体１０２のさらなる破壊を要するように構成されている。
【０１１７】
そこで、このさらなる破壊を要する構成について以下に説明する。
【０１１８】
上記連結部１４６を切断して表側結合部１４３を表ケース体１０１から分離させたとしても、当該表側結合部１４３が裏側結合部１４８に結合された状態が維持されており、上記のとおり当該表側結合部１４３は表ケース体１０１における上記空間規定壁１４５と対向している。一方、上記のとおり規制手段が設けられており、表ケース体１０１及び裏ケース体１０２を分離させる場合には、両者を左右方向にスライド移動させる必要が生じる。詳細には、両ケース体１０１，１０２の分離に際して表ケース体１０１を移動させる場合には、表側固定領域１４１が先頭となるようにして表ケース体１０１を移動させる必要がある。
【０１１９】
この場合に、図９（ａ）に示すように、表側結合部１４３と空間規定壁１４５との間の距離Ｌ３は、表側規制部１３１の係止受け部１３７が裏側規制部１２１の係止用溝１２５内に入り込んでいる長さ寸法Ｌ４よりも短く設定されている。つまり、規制手段による分離方向の規制が解除される前の段階で、空間規定壁１４５が表側結合部１４３に当接しそれ以上の移動が規制される。また、この状態では、表ケース体１０１と裏ケース体１０２との相互の位置は、初期位置から左右方向に僅かにずれただけであり、主制御基板９１は露出していない。したがって、表ケース体１０１及び裏ケース体１０２を完全に分離し、主制御基板９１を露出させるためには、規制手段を構成する裏側規制部１２１及び表側規制部１３１や、表側結合部１４３等をさらに破壊する必要が生じる。これにより、表ケース体１０１と裏ケース体１０２とを完全に分離し主制御基板９１を露出させるためには、連結部１４６を切断した後に表ケース体１０１又は裏ケース体１０２のさらなる破壊を要することとなり、基板ボックス９２の不正開放を防止する効果が高められる。
【０１２０】
ここで、上記のとおり基板ボックス９２が開放されていない状態で主制御基板９１の半田面の全体が裏ケース体１０２と対向している構成において、規制手段による規制方向は、裏ケース体１０２と主制御基板９１の半田面との間の距離が変化されない方向となっている。これにより、連結部１４６を破壊して表ケース体１０１及び裏ケース体１０２を僅かに分離させ、この分離させた状態において主制御基板９１に対して不正を行おうとする行為に対して、当該行為を行いづらくすることが可能となる。
【０１２１】
また、連結部１４６を破壊して表ケース体１０１及び裏ケース体１０２を相互に分離させ、表ケース体１０１が表側結合部１４３に当接した状態では、主制御基板９１の半田面の全体が依然として裏ケース体１０２と対向している。この点からも、連結部１４６を破壊して表ケース体１０１及び裏ケース体１０２を僅かに分離させ、この分離させた状態において主制御基板９１に対して不正を行おうとする行為に対して、当該行為を行いづらくすることが可能となる。
【０１２２】
次に、上記のようにさらなる破壊を要する構成において、主制御基板９１の検査に際して表ケース体１０１と裏ケース体１０２との分離を比較的容易にすべく規制手段に設けられた破壊許容構造の構成を以下に図９及び図１０を用いて説明する。図１０は、破壊許容構造を説明するための説明図である。なお、この破壊許容構造は、裏側規制部１２１と表側規制部１３１との各組合せに対してそれぞれ設けられているが、その構成は全て同一であるため、以下の説明では一の組合せについて説明する。
【０１２３】
規制手段は、上記のとおり裏側規制部１２１と表側規制部１３１とから構成されており、裏側規制部１２１の係止用溝１２５内に表側規制部１３１の係止受け部１３７が入り込むことにより、上記規制が行われている。また、表側規制部１３１において係止受け部１３７は、縁壁部１３３と、内側壁部１３４と、隣り合う連結壁部１３５とにより規定されたスリット１３２内に入り込んでおり、係止用溝１２５と係止受け部１３７との係止箇所の周囲は上記各壁部１３３〜１３５により囲まれている。
【０１２４】
当該構成において、縁壁部１３３には、図９（ｂ）に示すように、スリット１３２の延びる方向の所定範囲に亘って内壁面が裏側規制部１２１から分離されるように外方に張出した張出領域１５５が形成されている。また、図９（ａ）及び図１０（ａ）に示すように、張出領域１５５における上記スリット１３２の延びる方向の両端側には、張出領域１５５における他の部位に比べニッパやカッターなどの工具によって切断を容易に行うことができるように幅寸法が小さく設定された脆弱部１５６が形成されている。工具を用いて両脆弱部１５６を切断し張出領域１５５において両脆弱部１５６間の領域を除去することで、スリット１３２内が基板ボックス９２の周面（具体的には上面又は下面）において露出する。
【０１２５】
但し、上記の張出領域１５５において脆弱部１５６間の領域が形成された位置は、係止受け部１３７と重なっていない領域であり、脆弱部１５６を切断し両脆弱部１５６間の領域を除去したとしても、係止受け部１３７は露出せず、裏側規制部１２１のみが露出する。つまり、係止用溝１２５と係止受け部１３７との係止箇所は露出しない。したがって、この状態では係止用溝１２５と係止受け部１３７との係止状態を解除することはできない。
【０１２６】
張出領域１５５において両脆弱部１５６間の領域を除去した場合、係止用溝１２５は露出するものの、その露出する範囲は狭いものとなっている。これに対して、図１０（ｂ）に示すように、痕跡部として裏側結合部１４８と結合された状態で残っている表側結合部１４３に、表ケース体１０１の空間規定壁１４５が当たる位置まで表ケース体１０１又は裏ケース体１０２の少なくとも一方をスライド移動させることにより、係止用溝１２５において露出する範囲を広めることができる。
【０１２７】
上記のように係止用溝１２５が露出することにより、裏側規制部１２１の延出部１２４を係止受け部１３７との係止箇所よりも起立部１２３側において、ニッパ等の工具により切断することが可能となる。そして、図１０（ｃ）に示すように延出部１２４を切断することで、裏側規制部１２１と表側規制部１３１との係止状態が解除され、図１０（ｄ）に示すように、表ケース体１０１と裏ケース体１０２とを分離させることが可能となる。
【０１２８】
なお、上記のように延出部１２４を破壊することにより規制手段の規制の解除を行う構成においては、係止用溝１２５と係止受け部１３７との係止領域を広く確保したとしても問題が生じない。
【０１２９】
次に、基板ボックス９２を開放する場合の全体の流れを、図１１を用いて説明する。図１１は基板ボックス９２を開放する場合の全体の流れを説明するための説明図である。
【０１３０】
基板ボックス９２を開放する場合、図１１（ａ）に示すように、先ずカシメ構造における連結部１４６を切断する。これにより、図１１（ｂ）に示すように、表ケース体１０１又は裏ケース体１０２の少なくとも一方を左右方向にスライド移動させることが可能となる。
【０１３１】
その後、図１１（ｃ）に示すように、縁壁部１３３の全ての張出領域１５５について、脆弱部１５６の切断を行い、当該脆弱部１５６間の領域を除去する。その後、図１１（ｄ）に示すように、全ての裏側規制部１２１について延出部１２４を切断する。これにより、規制手段による規制が解除され、痕跡部として裏側結合部１４８と結合された状態で表側結合部１４３が残っている状態であっても、表ケース体１０１と裏ケース体１０２とを完全に分離させることが可能となる。よって、主制御基板９１の検査時における基板ボックス９２の開放作業は比較的容易に行うことができる。
【０１３２】
上記のように縁壁部１３３及び延出部１２４の切断を比較的容易に行えるようにした構成においては、不正行為に際してもそれら縁壁部１３３及び延出部１２４の切断を比較的容易に行えることとなるが、これらの切断に際しては少なくとも縁壁部１３３を所定範囲に亘って除去する必要がある。つまり、カシメ構造の連結部１４６については、カシメ構造による分離阻止の解除に際しては連結部１４６を切断するだけでよく、所定範囲に亘っての除去までも要しない。したがって、不正行為に際して連結部１４６が切断されていたとしても、その後に発見しづらい。これに対して、スリット１３２内を露出させるためには縁壁部１３３を所定範囲に亘って除去する必要があるため、その痕跡が目立ち、基板ボックス９２の不正開放が行われていた場合にはそれを発見し易くなる。また、上記のとおり縁壁部１３３及び延出部１２４の切断は複数箇所にて行われるため、その分、基板ボックス９２の不正開放が行われていた場合にはそれを発見し易くなる。
【０１３３】
さらには、カシメ構造の連結部１４６及び規制手段の縁壁部１３３は表ケース体１０１に設けられており、裏側規制部１２１の延出部１２４は裏ケース体１０２に設けられている。つまり、上記の手順で基板ボックス９２を開放させる場合に、表ケース体１０１及び裏ケース体１０２の両方を破壊する必要が生じる。
【０１３４】
次に、基板ボックス９２に設けられた他の固定構造について説明する。
【０１３５】
表側固定領域１４１の中間部分及び裏側固定領域１４２の中間部分には、図８に示すように、それぞれ貼付板部１６１，１６２が形成されており、これら貼付板部１６１，１６２は重なり合っている。両貼付板部１６１，１６２には、相互に連通するネジ孔が複数組形成されており、これらネジ孔に対してネジ１６３が螺着されている。なお、当該ネジ１６３としては着脱自在な周知のものが用いられている。上記のようにネジ１６３が螺着されていることにより、両貼付板部１６１，１６２が固定されている。そして、当該貼付板部１６１，１６２には、図７（ａ），（ｂ）に示すように、両者の境界を跨ぐようにして封印シール１６４が貼り付けられている。封印シール１６４は、貼り付けた後に剥がすと粘着剤層が貼付板部１６１，１６２側に残り、再貼付不可となるものである。
【０１３６】
また、表側固定領域１４１において表側結合部１４３と貼付板部１６１との間には、仮固定用結合部１７１が形成されているとともに、それに対応させて裏側固定領域１４２にも仮固定用結合部１７２が形成されている。これら仮固定用結合部１７１，１７２は相互に連通するネジ孔が形成されており、その連通されたネジ孔にネジを螺着することにより表側固定領域１４１と裏側固定領域１４２とを固定することができる。この仮固定は、遊技場における主制御基板９１の検査後において、製造メーカから新しい基板ボックス９２を得るまでの間、固定手段及び規制手段が破壊された基板ボックス９２において主制御基板９１を収容する機能を果たさせる際に行われる。
【０１３７】
次に、パチンコ機１０の電気的構成について、図１２のブロック図に基づいて説明する。図１２では、電力の供給ラインを二重線矢印で示し、信号ラインを実線矢印で示す。
【０１３８】
主制御装置６３に設けられた主制御基板９１には、主制御回路２０２と停電監視回路２０３とが内蔵されている。主制御回路２０２には、ＣＰＵチップ９３が搭載されている。ＣＰＵチップ９３には、当該ＣＰＵチップ９３により実行される各種の制御プログラムや固定値データを記憶したＲＯＭ２０５と、そのＲＯＭ２０５内に記憶される制御プログラムの実行に際して各種のデータ等を一時的に記憶するためのメモリであるＲＡＭ２０６と、割込回路やタイマ回路、データ入出力回路などの各種回路が内蔵されている。
【０１３９】
ＣＰＵチップ９３には、入力ポート及び出力ポートがそれぞれ設けられている。ＣＰＵチップ９３の入力側には、主制御基板９１に設けられた停電監視回路２０３、払出制御装置８２に設けられた払出制御基板２１１及びその他図示しないスイッチ群などが接続されている。この場合に、停電監視回路２０３には電源及び発射制御装置８３に設けられた電源及び発射制御基板２１５が接続されており、ＣＰＵチップ９３には停電監視回路２０３を介して電力が供給される。
【０１４０】
一方、ＣＰＵチップ９３の出力側には、停電監視回路２０３、払出制御基板２１１及び中継端子板２１９が接続されている。払出制御基板２１１には、賞球コマンドなどといった各種コマンドが出力される。中継端子板２１９を介して主制御回路２０２から音声ランプ制御装置６６に設けられた音声ランプ制御基板２２１に対して各種コマンドなどが出力される。
【０１４１】
停電監視回路２０３は、主制御回路２０２と電源及び発射制御基板２１５とを中継し、また電源及び発射制御基板２１５から出力される最大電圧である直流安定２４ボルトの電圧を監視する。
【０１４２】
払出制御基板２１１は、払出装置７８により賞球や貸し球の払出制御を行うものである。演算装置であるＣＰＵ２１２は、そのＣＰＵ２１２により実行される制御プログラムや固定値データ等を記憶したＲＯＭ２１３と、ワークメモリ等として使用されるＲＡＭ２１４とを備えている。
【０１４３】
払出制御基板２１１のＣＰＵ２１２には、入出力ポートが設けられている。ＣＰＵ２１２の入力側には、主制御回路２０２、電源及び発射制御基板２１５、及び裏パック基板７９が接続されている。また、ＣＰＵ２１２の出力側には、主制御回路２０２及び裏パック基板７９が接続されている。
【０１４４】
電源及び発射制御基板２１５は、電源部２１６と発射制御部２１７とを備えている。電源部２１６は、例えば、遊技場等における商用電源（外部電源）に接続されている。そして、その商用電源から供給される外部電力に基づいて主制御回路２０２や払出制御基板２１１等に対して各々に必要な動作電力を生成するとともに、その生成した動作電力を二重線矢印で示す経路を通じて主制御回路２０２や払出制御基板２１１等に対して供給する。発射制御部２１７は、遊技球発射機構５０の発射制御を担うものであり、遊技球発射機構５０は所定の発射条件が整っている場合に駆動される。
【０１４５】
音声ランプ制御基板２２１は、表示制御装置２２５を制御するものである。演算装置であるＣＰＵ２２２は、そのＣＰＵ２２２により実行される制御プログラムや固定値データ等を記憶したＲＯＭ２２３と、ワークメモリ等として使用されるＲＡＭ２２４とを備えている。
【０１４６】
音声ランプ制御基板２２１のＣＰＵ２２２には入出力ポートが設けられている。ＣＰＵ２２２の入力側には中継端子板２１９に中継されて主制御回路２０２が接続されており、主制御回路２０２から出力される各種コマンドに基づいて、表示制御装置２２５を制御する。表示制御装置２２５は、音声ランプ制御基板２２１から入力する表示コマンドに基づいて図柄表示装置４１を制御する。
【０１４７】
以上詳述した本実施の形態によれば、以下の優れた効果を奏する。
【０１４８】
主制御装置６３の基板ボックス９２において、表側結合部１４３と裏側結合部１４８とを破断ネジ１５１により固定することで表ケース体１０１と裏ケース体１０２との分離が阻止される。これにより、基板ボックス９２を不正に開放し主制御基板９１に不正を施す行為を抑制することが可能となる。また、表側結合部１４３よりも破壊し易い連結部１４６が設けられており、当該連結部１４６を破壊することで表ケース体１０１と裏ケース体１０２とが固定された状態が解除されるため、固定手段による固定の解除を比較的容易に行うことができる。よって、遊技場における主制御基板９１の検査に際して、固定手段による固定を解除する場合における解除作業の作業性の向上が図られている。
【０１４９】
上記構成において、裏側規制部１２１及び表側規制部１３１を備えた規制手段が設けられていることにより、表ケース体１０１及び裏ケース体１０２を相互に分離させる場合の方向が規制方向に規制されている。そして、連結部１４６を破壊し、両ケース体１０１，１０２を規制手段により規制された方向に分離させた場合、その規制が解除される前の段階で、裏側結合部１４８に固定された状態で残っている表側結合部１４３に対して表ケース体１０１が当接し、それ以上の移動が規制される。これにより、連結部１４６を破壊したとしても、両ケース体１０１，１０２を完全に分離させることができず、ケース体１０１，１０２のさらなる破壊を要することとなる。よって、不正行為者にとっては両ケース体１０１，１０２を相互に分離させる行為が煩雑となり、基板ボックス９２を不正に開放させる行為を抑制することが可能となる。
【０１５０】
また、基板ボックス９２の不正開放が行われたとしても、その際には連結部１４６だけでなくそれに以外にも基板ボックス９２において破壊された箇所が存在することとなる。よって、基板ボックス９２の不正開放が行われたとしても、その事実を発見し易くなる。
【０１５１】
上記のとおり両ケース体１０１，１０２を規制手段により規制された方向に分離させた場合、表ケース体１０１に当接する部位は、裏側結合部１４８に固定された状態で残っている表側結合部１４３となっている。これにより、連結部１４６を破壊した後においても両ケース体１０１，１０２の分離を阻止する機能が表側結合部１４３により果たされるため、表側結合部１４３や裏側結合部１４８以外の構成を別途設ける構成に比べ、構成の簡素化を図りつつ上記優れた効果を得ることができる。また、表ケース体１０１及び裏ケース体１０２の固定を行う機能を有する表側結合部１４３及び裏側結合部１４８により、連結部１４６が破壊された状況における両ケース体１０１，１０２の分離が阻止されるため、両ケース体１０１，１０２の固定作業を煩雑化させることなく上記優れた効果を得ることができる。
【０１５２】
規制手段を破壊することにより、裏側結合部１４８に固定された状態で残っている表側結合部１４３に表ケース体１０１が当接しない方向に両ケース体１０１，１０２を分離させることが可能となる。これにより、遊技場における主制御基板９１の検査に際して連結部１４６以外に破壊すべき箇所が規制手段に集約される。したがって、両ケース体１０１，１０２を分離させる際には、連結部１４６と規制手段とを破壊することで、それ以外の場所を破壊しなくてもよいため、上記検査の作業性を極力低下させないようにすることができる。また、当該構成においては、基板ボックス９２を開放させる不正行為が行われる場合、連結部１４６と規制手段との破壊が行われ易いと考えられる。したがって、基板ボックス９２の不正開放の有無に際して確認すべき場所が明確なものとなり、当該確認作業の作業性が向上するとともに、不正開放が行われていた場合にはそれを発見し易くなる。
【０１５３】
裏側規制部１２１の係止用溝１２５と表側規制部１３１の係止受け部１３７とにより両ケース体１０１，１０２が相互に分離される場合の方向を規制方向に規制する構成において、これら係止用溝１２５及び係止受け部１３７の係止箇所を囲む囲み部として、縁壁部１３３、内側壁部１３４及び連結壁部１３５が設けられている。これにより、これら係止用溝１２５及び係止受け部１３７の係止解除、すなわち規制手段の規制の解除が行いづらくなり、不正行為者にとっては規制手段の規制解除操作が煩雑なものとなる。また、当該規制解除操作に際して、囲み部を破壊するとともに、その破壊した位置にて露出した裏側規制部１２１又は係止受け部１３７の少なくとも一方を破壊する場合、当該操作が煩雑なものとなるため、これによっても上記不正行為を抑制することが可能となる。さらには、このように規制解除操作が行われた場合、破壊箇所が比較的広範囲に及ぶため、基板ボックス９２の不正開放が行われた場合における発見の容易化が図られる。
【０１５４】
上記囲み部を構成する各壁部１３３〜１３５のうち、基板ボックス９２の周面を構成する縁壁部１３３を破壊することにより、係止用溝１２５及び係止受け部１３７の係止箇所が収容されたスリット１３２内が露出することとなる。そして、この状態で裏側規制部１２１を破壊することで規制手段の規制が解除される。つまり、規制手段の規制解除操作を基板ボックス９２の周縁部において行うことができる。よって、基板ボックス９２の中央側において上記操作を行う必要がある構成に比べ、規制手段の規制解除操作を容易に行うことができる。よって、遊技場において主制御基板９１の検査を行う場合における基板ボックス９２の開放作業の作業性を向上させることができる。
【０１５５】
また、上記縁壁部１３３には、外方に張出した張出領域１５５が形成されているとともに、当該張出領域１５５には縁壁部１３３の他の部位よりも脆弱に形成された脆弱部１５６が形成されている。これにより、スリット１３２内を露出させるために縁壁部１３３を破壊する場合の作業性を向上させることができ、これに伴って遊技場において主制御基板９１の検査を行う場合における基板ボックス９２の開放作業の作業性を向上させることができる。また、スリット１３２内を露出させた状態において、表側結合部１４３と当接する位置まで表ケース体１０１を移動させることで露出される係止用溝１２５の幅を広くすることが可能となる。よって、裏側規制部１２１の延出部１２４を破壊し易くなり、規制手段による規制の解除を行い易くなる。この点からも、遊技場において主制御基板９１の検査を行う場合における基板ボックス９２の開放作業の作業性を向上させることができる。
【０１５６】
上記のように張出領域１５５及び脆弱部１５６が形成された構成において、当該脆弱部１５６を切断して張出領域１５５を除去した場合には、裏側規制部１２１が露出し、係止受け部１３７は露出しない。この場合に、張出領域１５５及び脆弱部１５６は表ケース体１０１に設けられているとともに、裏側規制部１２１は裏ケース体１０２に設けられている。つまり、脆弱部１５６を切断し張出領域１５５を除去することに基づいて規制手段による規制を解除する場合、表ケース体１０１及び裏ケース体１０２の両方を破壊する必要が生じる。
【０１５７】
ここで、主制御装置６３に対する不正行為としては、２個の主制御装置６３を用意し、一方の主制御装置６３からは表ケース体１０１を破壊しない状態で取り出し、他方の主制御装置６３からは裏ケース体１０２を破壊しない状態で取り出す行為が想定される。この場合、それぞれ破壊しない状態で取り出した表ケース体１０１と裏ケース体１０２とを組み合わせることにより、純正の基板ボックス９２を得ることができてしまう。そうすると、パチンコ機１０の主制御装置６３が、上記不正に得た基板ボックス９２に不正な主制御基板９１を収容させて構成された主制御装置６３に交換された場合には、その発見を行うことが困難なものとなってしまう。このような不正行為を想定した場合、上記のように張出領域１５５及び脆弱部１５６が設けられた構成においては、上記不正行為が行い易くなってしまうことが懸念される。これに対して、上記のとおり脆弱部１５６を切断し張出領域１５５を除去することに基づいて規制手段による規制を解除する場合、表ケース体１０１及び裏ケース体１０２の両方を破壊する必要が生じるため、上記不正行為を行いづらくすることが可能となる。
【０１５８】
なお、上述した各実施の形態の記載内容に限定されず、例えば次のように実施してもよい。ちなみに、以下の別形態の構成を、上記各実施の形態における構成に対して、個別に適用してもよく、相互に組み合わせて適用してもよい。
【０１５９】
（１）主制御装置の構成を、図１３に示す構成に変更してもよい。
【０１６０】
図１３（ａ）に示す主制御装置２３０は基板ボックス２３１を備えており、基板ボックス２３１は表ケース体２３２と裏ケース体２３３とを備えている。この場合に、表ケース体２３２はその一端側において裏ケース体２３３に対して回動可能に支持されている。また、表ケース体２３２の回動先端側には表側結合部２３４が形成されているとともに、裏ケース体２３３の回動先端側であって表ケース体２３２を閉鎖した状態において表側結合部２３４と重なる位置に裏側結合部２３５が形成されている。これら両結合部２３４，２３５のうち、表側結合部２３４は表ケース体２３２のベース部２３６に対して連結部２３７を介して連結されており、当該連結部２３７は表側結合部２３４や表ケース体２３２のベース部２３６に比べ脆弱に形成されている。そして、表側結合部２３４と裏側結合部２３５とを破断ネジ２３８などの固定解除を不可とする固定具により固定することで、表ケース体２３２と裏ケース体２３３とが分離不可な状態で結合され、連結部２３７を破壊することでその表ケース体２３２と裏ケース体２３３との結合が解除される。
【０１６１】
上記構成において、表側結合部２３４は、裏側結合部２３５に固定された状態において、表ケース体２３２を回動させる場合に当該表ケース体２３２のベース部２３６の回動先端部が通過する通過経路上に配置されている。したがって、図１３（ｂ）に示すように、連結部２３７を破壊し表ケース体２３２を裏ケース体２３３に対して回動させたとしても、ベース部２３６の回動先端部が痕跡部として残る表側結合部２３４に当り、表ケース体２３２を完全に開放させることができない。そうすると、表ケース体２３２を完全に開放させるためには軸部分などを破壊する必要が生じる。これにより、基板ボックス２３１を不正に開放させる行為を抑制することが可能となる。
【０１６２】
（２）上記実施の形態では、表ケース体１０１及び裏ケース体１０２を分離させる場合の方向を規制手段により基板ボックス９２の長手方向に規制したが、これに限定されることはなく、基板ボックス９２の短手方向に規制してもよい。この場合、規制手段によりその短手方向に分離させる方向が規制されている状況において表ケース体１０１の一部が通過する位置に表側結合部１４３を配置しておけばよい。また、上記分離させる場合の方向を、規制手段により基板ボックス９２の厚み方向に規制する構成としてもよい。この場合、規制手段によりその厚み方向に分離させる方向が規制されている状況において表ケース体１０１の一部が通過する位置に表側結合部１４３を配置しておけばよい。
【０１６３】
（３）主制御装置の構成を、図１４に示す構成に変更してもよい。
【０１６４】
図１４に示す主制御装置２４１の基板ボックス２４２では、カシメ構造をなす固定手段の位置が、規制手段により規制されている状況で表ケース体２４３を裏ケース体２４４に対してスライド移動させる場合の先頭ではなく、当該スライド移動方向の途中位置となっている。したがって、表側結合部２４５と表ケース体２４３のベース部２４６とを連結するとともに表側結合部２４５に比べ脆弱に形成された連結部２４７を切断したとしても、当該表側結合部２４５は、表ケース体２４３を規制手段により規制された方向にスライド移動させた場合の移動経路上にあるため、表ケース体２４３と裏ケース体２４４とを分離し主制御基板を露出させるには規制手段などを破壊する必要が生じる。これにより、基板ボックス２４２を不正に開放させる行為を抑制することが可能となる。
【０１６５】
（４）対応する結合部に比べ脆弱に形成された連結部１４６を表側結合部１４３に対して設けるのではなく、裏側結合部１４８に対して設けてもよい。そして、連結部１４６を切断することで、裏側結合部１４８が裏ケース体１０２から分離されるとともに、表側結合部１４３に固定された状態で残る構成とする。この場合、規制手段による規制方向を上記実施の形態とは逆向きにすることで、表ケース体１０１と裏ケース体１０２との分離に際して連結部１４６だけでなく規制手段などの他の部位の破壊を要することとなる。
【０１６６】
（５）上記実施の形態において、裏側規制部１２１を裏ケース体１０２に代えて表ケース体１０１に設け、表側規制部１３１を表ケース体１０１に代えて裏ケース体１０２に設けてもよい。また、表ケース体１０１、裏ケース体１０２及び中間ケース体１０３だけでなく、表ケース体１０１及び裏ケース体１０２を分離させる場合の方向を規制する規制手段としての機能が設けられた規制用ケース体を設ける構成としてもよい。
【０１６７】
（６）上記実施の形態では、表側結合部１４３の位置を、規制手段により規制された方向に表ケース体１０１をスライド移動させた場合に空間規定壁１４５と当接し、それ以上のスライド移動を規制する位置に設定したが、これに代えて、連結部１４６の破壊が行われていない初期状態において空間規定壁１４５と当接している位置に表側結合部１４３を配置してもよい。この場合、連結部１４６を破壊し、表ケース体１０１及び裏ケース体１０２を分離させる方向に移動させようとしても、裏側結合部１４８に固定された状態で残っている表側結合部１４３が既に空間規定壁１４５と当接しているため、移動させることができない。
【０１６８】
（７）裏側規制部１２１の延出部１２４に対して、当該延出部１２４の他の部位よりも脆弱に形成された脆弱部を設けてもよい。但し、この脆弱部を形成する位置は、表側規制部１３１の張出領域１５５を除去した後に露出可能な位置であり、さらに当該脆弱部を切断することで係止用溝１２５と係止受け部１３７との係止状態が解除される位置とするとよい。本構成によれば、主制御基板９１のメンテナンスに際しての基板ボックス９２の開放作業を、上記実施の形態よりも容易に行うことができる。
【０１６９】
（８）上記実施の形態において、主制御装置６３の基板ボックス９２は中間ケース体１０３を具備しない構成とするとともに、表ケース体１０１が長孔部１０６を具備しない構成としてもよい。この場合、基板ボックス９２は一対のケース体１０１，１０２から形成されることとなる。また、３個のケース体ではなく、４個以上のケース体を組み合わせることにより、基板ボックス９２が形成される構成としてもよい。
【０１７０】
（９）表側結合部１４３及び裏側結合部１４８を固定する固定具として、破断ネジ１５１に代えて、引掛け金具を用いてもよい。この場合、引掛け具により両結合部１４３，１４８を固定した後は当該引掛け金具の抜き取りが不可となる構成とすることで、両結合部１４３，１４８の固定解除に際して連結部１４６などの破壊を要するようにすることができる。
【０１７１】
また、表側結合部１４３及び裏側結合部１４８を固定する構成としては、上記のように固定具を用いる構成に代えて、接着剤を用いて両結合部１４３，１４８を固定する構成としてもよく、超音波や熱を用いて両結合部１４３，１４８を固着して一体化する構成としてもよい。これらの場合、連結部１４６の強度を、接着剤による接着強度や、固着の強度よりも低くするとよい。
【０１７２】
（１０）連結部１４６や脆弱部１５６を脆弱に形成するための構成としては、それらを細く形成したり、幅を狭く形成する構成に限定されることはなく、連結部１４６や脆弱部１５６をその周囲に比べ強度の低い材料により形成する構成としてもよく、連結部１４６や脆弱部１５６が空洞を有する構成としてもよい。
【０１７３】
（１１）上記実施の形態において、複数組（具体的には６個）設けられた裏側規制部１２１及び表側規制部１３１の組み合わせのうち、一部についてのみ、両ケース体１０１，１０２の分離に際して破壊を要する構成を適用してもよい。この場合、遊技場での主制御基板９１の検査時において、基板ボックス９２の開放作業の作業性を向上させることができる。
【０１７４】
（１２）上記実施の形態において、一対の脆弱部１５６を切断し当該脆弱部１５６間の張出領域１５５を除去する場合、当該張出領域１５５は当初の位置から離間されるものの、表ケース体１０１に対して一部が連結されていることで、表ケース体１０１側に残る構成としてもよい。
【０１７５】
（１３）上記実施の形態では、基板ボックス９２の四辺のうち、対向する一辺のそれぞれに規制手段を設けるとともに、当該規制手段が設けられていない所定の一辺に対して固定手段を設けたが、これを変更してもよい。例えば、対向する一辺のそれぞれに規制手段を設けるとともに、他の対向する一辺のそれぞれに固定手段を設けてもよい。
【０１７６】
当該構成について具体的には、上記実施の形態において基板ボックス９２の右縁に設けられている固定手段の構成を表裏逆にした状態で、基板ボックス９２の左縁に設けてもよい。つまり、表ケース体１０１の左縁の上下に上記実施の形態における裏側結合部１４８を設けるとともに、裏ケース体１０２の左縁の上下に上記実施の形態における表側結合部１４３を設ける。そして、この表側結合部１４３に対して上記実施の形態における連結部１４６を並設する。本構成によれば、基板ボックス９２の四隅にて固定手段による表ケース体１０１と裏ケース体１０２との固定が行われるため、両ケース体１０１，１０２の固定をより強固に行うことができる。また、各連結部１４６を切断し、両ケース体１０１，１０２を分離させようとした場合、表ケース体１０１が右側の痕跡部に当接するとともに、裏ケース体１０２が左側の痕跡部に当接することとなる。よって、痕跡部とケース体との当接による両ケース体１０１，１０２の分離の阻止をより確実なものとすることが可能となる。
【０１７７】
（１４）上記実施の形態において主制御装置６３の基板ボックス９２に適用した構成を、音声ランプ制御装置６６、払出制御装置８２、電源及び発射制御装置８３といった他の制御装置に対して適用してもよい。
【０１７８】
（１５）上記各実施の形態では、外側貯留部として上皿５７ａと下皿５８ａとを備えたパチンコ機１０に本発明を適用したが、これに代えて、単一の外側貯留部を備えたパチンコ機に本発明を適用してもよい。また、停電監視装置を主制御装置６３とは別に設けることで、主制御基板９１は主制御回路２０２のみの機能を有する構成としてもよい。
【０１７９】
（１６）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１８０】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも、本発明を適用できる。
【０１８１】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【符号の説明】
【０１８２】
１０…パチンコ機、６３…主制御装置、９１…主制御基板、９２…基板ボックス、１０１…第２ケース体としての表ケース体、１０２…第１ケース体としての裏ケース体、１０３…中間ケース体、１２１…裏側規制部、１２５…係止用溝、１３１…表側規制部、１３３…囲み部を構成する縁壁部、１３４…囲み部を構成する内側壁部、１３５…囲み部を構成する連結壁部、１３７…係止受け部、１４３…表側結合部、１４５…空間規定壁、１４６…連結部、１４８…裏側結合部、１５５…破壊許容部としての張出領域。
【図１】
0005605466.tif 000002
【図２】
0005605466.tif 000003
【図３】
0005605466.tif 000004
【図４】
0005605466.tif 000005
【図５】
0005605466.tif 000006
【図６】
0005605466.tif 000007
【図７】
0005605466.tif 000008
【図８】
0005605466.tif 000009
【図９】
0005605466.tif 000010
【図１０】
0005605466.tif 000011
【図１１】
0005605466.tif 000012
【図１２】
0005605466.tif 000013
【図１３】
0005605466.tif 000014
【図１４】
0005605466.tif 000015